Podtech/llm-jp-corpus-v4-ja_patent huggingface dataset:
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
第1電源に接続された駆動トランジスタを有し、入力信号が入力される入力インバータ回路と、
前記入力インバータ回路の出力端子である遅延制御ノードが信号線を介して入力ノードに接続されている出力インバータ回路と、
前記信号線と第2電源との間に接続された容量素子と、
前記信号線と前記容量素子との間に設けられたスイッチトランジスタと、を備え、
前記駆動トランジスタと前記スイッチトランジスタとは同じ導電型の半導体トランジスタである
ことを特徴とする遅延回路。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
それぞれ位相が異なる複数の基準クロックを出力する多相基準クロック出力回路と、
前記複数の基準クロックをそれぞれ所定の値で分周した複数の分周クロックを出力する多相分周回路と、
前記複数の基準クロックのいずれか１つ、もしくは、前記複数の分周クロックのいずれか１つのうちのどちらかを選択し、その選択したクロックを選択クロックとして出力する選択スイッチ回路と、
前記選択クロックを動作クロックとし、周波数制御入力データの値に応じて周波数が変動する出力クロックと、前記出力クロックと前記周波数制御入力データの値に応じて計算される理想位相との位相差を示す遅延量データとを出力するデジタルＶＣＯと、
前記遅延量データに応じて前記複数の分周クロックのうち１つに同期した前記出力クロックを選択して出力する選択回路と、を有する
ＰＬＬ回路。
【手続補正２】
【補正対象書類名】明細書
【補正対象項目名】発明の名称
【補正方法】変更
【補正の内容】
【発明の名称】ＰＬＬ回路
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
画像データの特徴量に基づいて前記画像データのシーンを判定する判定手段と、
前記特徴量と前記判定手段で判定されたシーンの代表点の特徴量と当該代表点の重みとに基づき、前記判定手段で判定されたシーンの最終シーン信頼度を算出する算出手段と、
を有することを特徴とする画像処理装置。
【請求項２】
前記判定手段は、特徴量空間において、前記画像データの特徴量と複数シーンの代表点の特徴量との距離を算出し、前記算出した複数の距離の中で、最も距離の短い代表点が示すシーンを前記画像データのシーンとして判定することを特徴とする請求項１に記載の画像処理装置。
【請求項３】
前記算出手段は、
特徴量空間における前記画像データの特徴量と前記判定手段で判定されたシーンの代表点の特徴量との距離に応じてシーン信頼度を算出し、前記シーン信頼度と前記代表点の重みとに基づき、前記最終シーン信頼度を算出することを特徴とする請求項１又は２に記載の画像処理装置。
【請求項４】
前記最終シーン信頼度は、前記シーン信頼度と前記代表点の重みとを乗算することによって算出されることを特徴とする請求項３に記載の画像処理装置。
【請求項５】
前記算出手段は、前記算出した複数の距離の中で、最も距離が短い代表点との距離と二番目に距離が短い代表点との距離との割合に基づき、前記シーン信頼度を算出することを特徴とする請求項３又は４に記載の画像処理装置。
【請求項６】
前記代表点の重みは、各シーンに対応する複数の代表点を閾値に応じて前記特徴量空間で領域に分け、前記領域に含まれる代表点の中で最も多いシーンの画像数と、前記領域に含まれる画像数との割合から算出されることを特徴とする請求項１又は２に記載の画像処理装置。
【請求項７】
前記代表点の重みは、各シーンに対応する複数の代表点を閾値に応じて前記特徴量空間で領域に分け、前記領域に含まれる代表点の中で最も多いシーンの画像数と、前記特徴量空間における画像数との割合から算出されることを特徴とする請求項１又は２に記載の画像処理装置。
【請求項８】
前記特徴量空間は、明度成分と色差からなる空間であることを特徴とする請求項１乃至７のいずれか１項に記載の画像処理装置。
【請求項９】
前記特徴量空間は、多次元の特徴量空間であることを特徴とする請求項１乃至７のいずれか１項に記載の画像処理装置。
【請求項１０】
さらに、前記判定手段によって判定されたシーン及び前記算出手段によって算出された最終シーン信頼度に応じて、前記画像データの補正処理を行う補正手段を有することを特徴とする請求項１乃至５のいずれか１項に記載の画像処理装置。
【請求項１１】
前記補正手段は、前記判定手段によって前記画像データが夜景シーンであると判定された場合と前記判定手段によって前記画像データが露出不足シーンであると判定された場合とでは異なるγ曲線を用いて補正処理を行うことを特徴とする請求項１０に記載の画像処理装置。
【請求項１２】
前記補正手段は、前記判定手段で判定されたシーンに応じてγ曲線を選択し、前記シーン信頼度に応じてγ曲線のγ値を変更することを特徴とする請求項１０に記載の画像処理装置。
【請求項１３】
画像データの特徴量に基づいて前記画像データのシーンを判定する判定工程と、
前記特徴量と前記判定工程で判定されたシーンの代表点の特徴量と当該代表点の重みとに基づき、前記判定工程で判定されたシーンの最終シーン信頼度を算出する算出工程と、
を有することを特徴とする画像処理装置の制御方法。
【請求項１４】
コンピュータを、請求項１乃至１２の何れか１項に記載の画像処理装置として機能させるためのコンピュータプログラム。
【手続補正２】
【補正対象書類名】明細書
【補正対象項目名】０００８
【補正方法】変更
【補正の内容】
【０００８】
本発明の特徴は、画像データのシーンを判定し、その判定したシーンの最終シーン信頼度を算出することにある。
【手続補正３】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
画像データの特徴量に基づいて前記画像データのシーンを判定する判定手段と、
前記特徴量と前記判定手段で判定されたシーンの代表点の特徴量と当該代表点の重みとに基づき、前記判定手段で判定されたシーンの最終シーン信頼度を算出する算出手段と、を有することを特徴とする。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
撮像部によって時分割露光された複数の撮像データを入力する入力手段と、
分配パターンに従い、前記複数の撮像データを合成用画像に分配する分配手段と、
前記合成用画像を合成した合成撮像データを生成する合成手段と、
前記分配パターンおよび前記撮像部または被写体の動き量に基づき、前記合成撮像データの振れを補正する補正手段とを有することを特徴とする画像処理装置。
【請求項２】
前記分配手段は、前記複数の撮像データを前記合成用画像または動き検出用画像に分配し、
前記画像処理装置は、さらに、前記動き検出用画像の撮像データから前記時分割露光の際の前記動き量を検出する検出手段を有することを特徴とする請求項1に記載された画像処理装置。
【請求項３】
前記補正手段は、前記分配パターンおよび前記検出手段が検出した動き量に基づき前記振れを補正することを特徴とする請求項2に記載された画像処理装置。
【請求項４】
前記分配手段は、前記複数の撮像データのうち、最初に露光された撮像データおよび最後に露光された撮像データを前記動き検出用画像に分配することを特徴とする請求項2または請求項3に記載された画像処理装置。
【請求項５】
前記分配手段は、前記時分割露光の直後に露光された撮像データを前記動き検出用画像に分配することを特徴とする請求項2または請求項3に記載された画像処理装置。
【請求項６】
前記分配手段は、前記時分割露光の直前および直後に露光された撮像データを前記動き検出用画像に分配することを特徴とする請求項2または請求項3に記載された画像処理装置。
【請求項７】
前記分配手段は、前記動き量が所定の閾値未満の場合、前記合成用画像に分配する撮像データの割合を増加することを特徴とする請求項1から請求項6の何れか一項に記載された画像処理装置。
【請求項８】
前記補正手段は、前記分配パターンと前記動き量に基づき、点像分布関数を作成する作成手段、および、前記点像分布関数を用いて、前記合成撮像データをデコンボリューションする手段を有することを特徴とする請求項1から請求項7の何れか一項に記載された画像処理装置。
【請求項９】
撮像部によって時分割露光された複数の撮像データを入力し、
分配パターンに従い、前記複数の撮像データを合成用画像に分配し、
前記合成用画像を合成した合成撮像データを生成し、
前記分配パターンおよび前記撮像部または被写体の動き量に基づき、前記合成撮像データの振れを補正することを特徴とする画像処理方法。
【請求項１０】
コンピュータを請求項1から請求項8の何れか一項に記載された画像処理装置の各手段として機能させるためのプログラム。
【手続補正２】
【補正対象書類名】明細書
【補正対象項目名】０００９
【補正方法】変更
【補正の内容】
【０００９】
本発明は、振れによる撮像データの暈けを効果的に補正することを目的とする。
【手続補正３】
【補正対象書類名】明細書
【補正対象項目名】００１１
【補正方法】変更
【補正の内容】
【００１１】
本発明にかかる画像処理は、撮像部によって時分割露光された複数の撮像データを入力し、分配パターンに従い、前記複数の撮像データを合成用画像に分配し、前記合成用画像を合成した合成撮像データを生成し、前記分配パターンおよび前記撮像部または被写体の動き量に基づき、前記合成撮像データの振れを補正することを特徴とする。
【手続補正４】
【補正対象書類名】明細書
【補正対象項目名】００１２
【補正方法】変更
【補正の内容】
【００１２】
本発明によれば、振れによる撮像データの暈けを効果的に補正することができる。
【手続補正５】
【補正対象書類名】明細書
【補正対象項目名】００７７
【補正方法】変更
【補正の内容】
【００７７】
なお、露光時間Tの期間において時分割露光した画像を、一旦、バッファメモリ424にバッファリングした後、ステップS1201以降の処理を行えばよい。しかし、時分割露光を行いながら、振り分けパターンの生成、振り分け、振り分け後の合成処理、振れ量の検出を行ってもよい。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
アクセス競合制御を行なう第１の通信期間と、非アクセス競合制御を行なう第２の通信期間とを切り替えて通信する通信手段と、
前記第１の通信期間におけるアクセス競合の状態を判断する判断手段と、
前記判断手段による判断に応じて、前記第１の通信期間又は前記第２の通信期間の周波数帯域幅を変更する第１の変更手段と、
前記第１の変更手段による前記周波数帯域幅の変更に応じて、前記第１の通信期間と前記第２の通信期間との時間割合を変更する第２の変更手段と
を具備することを特徴とする通信装置。
【請求項２】
前記第１の変更手段は、
前記第１の通信期間におけるデータ送信待ち時間又はデータ送信待ちの発生頻度に応じて、前記第１の通信期間の周波数帯域幅を増加させる
ことを特徴とする請求項１記載の通信装置。
【請求項３】
前記第２の変更手段は、
前記第１の変更手段が前記第１の通信期間の周波数帯域幅を増加させると、前記第１の通信期間の時間を短くする
ことを特徴とする請求項１又は２記載の通信装置。
【請求項４】
前記第１の変更手段は、
前記第１の通信期間又は前記第２の通信期間の長さに応じて、前記第１の通信期間又は前記第２の通信期間の周波数帯域幅を変更する
ことを特徴とする請求項１記載の通信装置。
【請求項５】
前記判断手段は、
自装置を介して通信する他の通信装置のアクセス競合の状態を判断する
ことを特徴とする請求項１から４のいずれか１項に記載の通信装置。
【請求項６】
基地局であることを特徴とする請求項１から５のいずれか１項に記載の通信装置。
【請求項７】
前記判断手段は、
データ種別毎にアクセス競合の状態を判断する
ことを特徴とする請求項１から６のいずれか１項に記載の通信装置。
【請求項８】
アクセス競合制御を行なう第１の通信期間と、非アクセス競合制御を行なう第２の通信期間とを切り替えて通信する通信装置の制御方法であって、
判断手段が、前記第１の通信期間におけるアクセス競合の状態を判断する工程と、
第１の変更手段が、前記判断手段による判断に応じて、前記第１の通信期間又は前記第２の通信期間の周波数帯域幅を変更する工程と、
第２の変更手段が、前記第１の変更手段による前記周波数帯域幅の変更に応じて、前記第１の通信期間と前記第２の通信期間との時間割合を変更する工程と
を含むことを特徴とする通信装置の制御方法。
【請求項９】
アクセス競合制御を行なう第１の通信期間と、非アクセス競合制御を行なう第２の通信期間とを切り替えて通信する通信装置に内蔵されたコンピュータを、
前記第１の通信期間におけるアクセス競合の状態を判断する判断手段、
前記判断手段による判断に応じて、前記第１の通信期間又は前記第２の通信期間の周波数帯域幅を変更する第１の変更手段、
前記第１の変更手段による前記周波数帯域幅の変更に応じて、前記第１の通信期間と前記第２の通信期間との時間割合を変更する第２の変更手段
として機能させるためのプログラム。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
撮像手段によりプレ撮像した画像データから被写体の周波数特性を解析する解析手段と、
前記解析の結果に基づき、前記撮像手段により前記被写体を本撮像する際の前記撮像手段のシャッタの開閉を制御する制御パターンを決定する決定手段と、
撮像手段の振れを検出する検出手段と、
前記決定した制御パターンおよび前記本撮像における前記撮像手段の振れから補正パラメータを算出する算出手段と、
前記補正パラメータを用いて前記本撮像された撮像データを補正する補正手段とを有することを特徴とする画像処理装置。
【請求項２】
前記決定手段は、複数の制御パターンの中から一つの制御パターンを選択することを特徴とする請求項1に記載された画像処理装置。
【請求項３】
さらに、制御パターンの周波数特性およびシャッタの開閉比率に基づき、前記制御パターンを生成する生成手段と、
前記生成手段が生成した制御パターンを前記決定手段の選択用に保持する保持手段とを有することを特徴とする請求項2に記載された画像処理装置。
【請求項４】
前記選決定手段は、前記被写体の周波数特性に最も近い周波数特性を有する制御パターンを、前記保持手段が保持する制御パターンから選択することを特徴とする請求項3に記載された画像処理装置。
【請求項５】
前記算出手段は、前記制御パターンおよび前記撮像手段の振れから画像の暈けを示す点像分布関数を算出し、前記点像分布関数に基づき前記補正パラメータを算出することを特徴とする請求項1から請求項4の何れか一項に記載された画像処理装置。
【請求項６】
前記解析手段は、前記撮像手段の振れによる画像の暈けが防げ、かつ、前記被写体の周波数特性の解析が可能な時間を前記プレ撮像の露光時間に設定することを特徴とする請求項1から請求項5の何れか一項に記載された画像処理装置。
【請求項７】
撮像手段によりプレ撮像した画像データから被写体の周波数特性を解析し、
前記解析の結果に基づき、前記撮像手段により前記被写体を本撮像する際の前記撮像手段のシャッタの開閉を制御する制御パターンを決定し、
撮像手段の振れを検出し、
前記決定した制御パターンおよび前記本撮像における前記撮像手段の振れから補正パラメータを算出し、
前記補正パラメータを用いて前記本撮像された撮像データを補正することを特徴とする画像処理方法。
【請求項８】
画像処理装置に請求項7に記載された画像処理を実行させるためのプログラム。
【手続補正２】
【補正対象書類名】明細書
【補正対象項目名】００３１
【補正方法】変更
【補正の内容】
【００３１】
本発明は、シャッタ開ランダム制御によって、振れによる画像の暈けを補正する際のノイズの増幅を抑制することを目的とする。
【手続補正３】
【補正対象書類名】明細書
【補正対象項目名】００３３
【補正方法】変更
【補正の内容】
【００３３】
本発明にかかる画像処理は、撮像手段によりプレ撮像した画像データから被写体の周波数特性を解析し、前記解析の結果に基づき、前記撮像手段により前記被写体を本撮像する際の前記撮像手段のシャッタの開閉を制御する制御パターンを決定し、撮像手段の振れを検出し、前記決定した制御パターンおよび前記本撮像における前記撮像手段の振れから補正パラメータを算出し、前記補正パラメータを用いて前記本撮像された撮像データを補正することを特徴とする。
【手続補正４】
【補正対象書類名】明細書
【補正対象項目名】００３４
【補正方法】変更
【補正の内容】
【００３４】
本発明によれば、シャッタ開ランダム制御によって、振れによる画像の暈けを補正する際のノイズの増幅を抑制することができる。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
動画像データを入力し、複数の予測モードのうち少なくとも１つの予測モードを用いて、マクロブロックの動画像データを各マクロブロックに隣接する参照画素から予測し、その予測した動画像データを用いて、前記入力した動画像データを符号化する画像符号化装置であって、
前記マクロブロックを複数に分割したそれぞれの分割ブロックにおいて、前記複数の予測モードのうちの少なくとも１つの第１の予測モードにより、前記分割ブロックに対応する前記参照画素から第１の予測画素を生成する第１の予測画素生成部と、
前記複数の予測モードのうちの第２の予測モードにより、前記分割ブロックに対応する前記参照画素から第２の予測画素を生成する場合、前記分割ブロックに対応する参照画素から推定した値に応じて第２の予測画素を生成する第２の予測画素生成部と、
前記第１の予測画素値に応じた評価値と第２の予測画素値に応じた評価値とを比較して、前記１つの予測モードを判定する判定部と、を有する
画像符号化装置。
【手続補正２】
【補正対象書類名】明細書
【補正対象項目名】発明の名称
【補正方法】変更
【補正の内容】
【発明の名称】画像符号化装置
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
ブロック単位で圧縮された画像に対し、ブロックノイズを低減するための補正を施す画像処理装置であって、
前記画像から画素値の段差を検出する検出手段と、
前記検出手段で検出された複数の段差のうち隣接するブロック間の境界であるブロック境界に位置する段差の総数を第１総数としてカウントし、前記検出手段で検出された複数の段差のうち前記ブロック境界とは異なる位置に存在する段差の総数を第２総数としてカウントするカウント手段と、
前記第１総数と前記第２総数との差に応じて、前記補正の強さを設定する設定手段と、を有することを特徴とする画像処理装置。
【請求項２】
前記カウント手段は、前記ブロック境界と同じ周期で位相の異なる位置に存在する前記段差の総数を、位相毎にカウントし、位相毎の段差の総数のうち最大値を前記第２総数とする
ことを特徴とする請求項１に記載の画像処理装置。
【請求項３】
前記設定手段は、前記第１総数から前記第２総数を減算した値が大きいほど、ブロックノイズの低減効果を高める
ことを特徴とする請求項１または２に記載の画像処理装置。
【請求項４】
前記設定手段は、前記第１総数に対する前記第２総数の比が大きいほど低くなる信頼度を算出し、信頼度が低いほどブロックノイズの低減効果を高める
ことを特徴とする請求項１〜３のいずれか１項に記載の画像処理装置。
【請求項５】
周期が同じで位相が異なる位置に前記ブロック境界が存在する場合に、前記カウント手段は、前記ブロック境界に位置する段差の総数を、位相毎にカウントし、位相毎の段差の総数のうち最大値を前記第１総数とする
ことを特徴とする請求項１〜４のいずれか１項に記載の画像処理装置。
【請求項６】
前記カウント手段は、前記ブロック境界の間隔、位置、または、その両方を表す情報を取得し、取得した前記情報から前記ブロック境界の位置を判断する
ことを特徴とする請求項１〜５のいずれか１項に記載の画像処理装置。
【請求項７】
前記補正は、ブロックノイズの低減効果が互いに異なる複数の補正係数のうちの１つを用いて行うものであり、
前記設定手段は、前記第１総数と前記第２総数との差に応じて、前記複数の補正係数の中から１つを選択する
ことを特徴とする請求項１〜６のいずれか１項に記載の画像処理装置。
【請求項８】
前記検出手段は、画素値の変化が閾値よりも小さい第１の隣接画素群と、画素値の変化が閾値よりも小さい第２の隣接画素群の間に、所定の大きさの画素値の差が存在する位置を前記段差として検出する
ことを特徴とする請求項１〜７のいずれか１項に記載の画像処理装置。
【請求項９】
ブロック単位で圧縮された画像に対し、ブロックノイズを低減するための補正を施す画像処理装置の制御方法であって、
前記画像から画素値の段差を検出する検出ステップと、
前記検出ステップで検出された複数の段差のうち隣接するブロック間の境界であるブロック境界に位置する段差の総数を第１総数としてカウントし、前記検出ステップで検出された複数の段差のうち前記ブロック境界とは異なる位置に存在する段差の総数を第２総数としてカウントするカウントステップと、
前記第１総数と前記第２総数との差に応じて、前記補正の強さを設定する設定ステップと、
を有することを特徴とする画像処理装置の制御方法。
【請求項１０】
前記カウントステップでは、前記ブロック境界と同じ周期で位相の異なる位置に存在する前記段差の総数が、位相毎にカウントされ、位相毎の段差の総数のうち最大値が前記第２総数とされる
ことを特徴とする請求項９に記載の画像処理装置の制御方法。
【請求項１１】
前記設定ステップでは、前記第１総数から前記第２総数を減算した値が大きいほど、ブロックノイズの低減効果が高められる
ことを特徴とする請求項９または１０に記載の画像処理装置の制御方法。
【請求項１２】
前記設定ステップでは、前記第１総数に対する前記第２総数の比が大きいほど低くなる信頼度が算出され、信頼度が低いほどブロックノイズの低減効果が高められる
ことを特徴とする請求項９〜１１のいずれか１項に記載の画像処理装置の制御方法。
【請求項１３】
周期が同じで位相が異なる位置に前記ブロック境界が存在する場合に、前記カウントステップでは、前記ブロック境界に位置する段差の総数が、位相毎にカウントされ、位相毎の段差の総数のうち最大値が前記第１総数とされる
ことを特徴とする請求項９〜１２のいずれか１項に記載の画像処理装置の制御方法。
【請求項１４】
前記カウントステップでは、前記ブロック境界の間隔、位置、または、その両方を表す情報が取得され、取得された前記情報から前記ブロック境界の位置が判断される
ことを特徴とする請求項９〜１３のいずれか１項に記載の画像処理装置の制御方法。
【請求項１５】
前記補正は、ブロックノイズの低減効果が互いに異なる複数の補正係数のうちの１つを用いて行うものであり、
前記設定ステップでは、前記第１総数と前記第２総数との差に応じて、前記複数の補正係数の中から１つが選択される
ことを特徴とする請求項９〜１４のいずれか１項に記載の画像処理装置の制御方法。
【請求項１６】
前記検出ステップでは、画素値の変化が閾値よりも小さい第１の隣接画素群と、画素値の変化が閾値よりも小さい第２の隣接画素群の間に、所定の大きさの画素値の差が存在する位置が前記段差として検出される
ことを特徴とする請求項９〜１５のいずれか１項に記載の画像処理装置の制御方法。
【手続補正２】
【補正対象書類名】明細書
【補正対象項目名】０００８
【補正方法】変更
【補正の内容】
【０００８】
本発明の画像処理装置は、ブロック単位で圧縮された画像に対し、ブロックノイズを低減するための補正を施す画像処理装置であって、前記画像から画素値の段差を検出する検出手段と、前記検出手段で検出された複数の段差のうち隣接するブロック間の境界であるブロック境界に位置する段差の総数を第１総数としてカウントし、前記検出手段で検出された複数の段差のうち前記ブロック境界とは異なる位置に存在する段差の総数を第２総数としてカウントするカウント手段と、前記第１総数と前記第２総数との差に応じて、前記補正の強さを設定する設定手段と、を有することを特徴とする。
【手続補正３】
【補正対象書類名】明細書
【補正対象項目名】０００９
【補正方法】変更
【補正の内容】
【０００９】
また、本発明の画像処理装置の制御方法は、ブロック単位で圧縮された画像に対し、ブロックノイズを低減するための補正を施す画像処理装置の制御方法であって、前記画像から画素値の段差を検出する検出ステップと、前記検出ステップで検出された複数の段差のうち隣接するブロック間の境界であるブロック境界に位置する段差の総数を第１総数としてカウントし、前記検出ステップで検出された複数の段差のうち前記ブロック境界とは異なる位置に存在する段差の総数を第２総数としてカウントするカウントステップと、前記第１総数と前記第２総数との差に応じて、前記補正の強さを設定する設定ステップと、を有することを特徴とする。
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
乾燥した天然物全物質を原料とし、粉砕機の駆動する羽根に近接して固定または落込みした上羽根を設置した粉砕機であって、乾式粉砕した後、７０〜１００℃の熱水を加えて、湿式粉砕するか、冷水で湿式粉砕した後、２重鍋を用いて、７０〜９５℃に加熱処理し、ジャーまたはポットに保温熟成してなる、乾燥した天然物の全物質の微粉砕方法。
【請求項２】
粉砕機の側面から０．５〜１０ｍｍ離間し、前記上羽根と下羽根との最接近間隔が０．５〜３ｍｍとし、上羽根の上面とボトム底面の間隔ｈと、底面の内径ｄに対し、その比ｈ／ｄが０．４〜１．４であり、上部駆動の時は回転する下羽根はカキ上げ構造になり、二段目の上部回転羽根は固定または落込んだ羽根の上面をかき落す構造になっており、前記上羽根は羽根の先端が折り曲げられ、上昇回転する粗粒子に剪断摩擦応力を与えて抵抗する構造に成型してなる粉砕機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
前記役の種別として、入賞が成立した場合に遊技者に有利な特別遊技状態に移行する特典が付与される特別役種と、役の抽選に当選した場合に前記停止操作手段の操作順序及び操作タイミングに関わらず入賞が成立する入賞成立役種と、を設けるとともに、１の遊技回において前記入賞成立役種にのみ当選となる機会と、１の遊技回において前記入賞成立役種と前記特別役種に共に当選となる機会と、が生じる構成とし、
前記各周回体を周方向にそれぞれ区画した複数の区画領域と、各区画領域に付された絵柄との対応関係を記憶する対応関係記憶手段と、
前記停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止情報導出手段は、前記停止指令が発生する前までに前記停止区画領域が決定されていない少なくとも１つの周回体について全区画領域の停止情報を区画領域毎に導出するものであって、前記区画領域が前記規定位置に到達した場合に前記有効位置に到達する到達絵柄を区画領域毎に把握する到達絵柄把握手段と、当該到達絵柄把握手段の把握した到達絵柄に基づいて、前記特別役種に当選している状況で当選している特別役種と対応する入賞成立の可能性を区画領域毎に判断する第１入賞可能性判断手段と、前記到達絵柄把握手段の把握した到達絵柄に基づいて、前記入賞成立役種に当選している状況で当選している入賞成立役種と対応する入賞成立の可能性を区画領域毎に判断する第２入賞可能性判断手段と、を備え、
前記停止情報記憶手段は、前記第１入賞可能性判断手段の判断結果を示す第１入賞可能性情報が記憶される特別役種情報記憶領域と、前記第２入賞可能性判断手段の判断結果を示す第２入賞可能性情報が記憶される入賞成立役種情報記憶領域と、を同一記憶領域に有することを特徴とする遊技機。
【請求項２】
前記停止情報導出手段は、前記入賞成立役種と対応する入賞成立の可能性がある場合に、前記入賞成立時に付与される特典と対応する数値情報を導出する特典導出手段を備え、前記停止情報記憶手段には、前記特典導出手段の導出した数値情報を記憶可能な特典記憶領域を、前記入賞成立役種情報記憶領域と別個に設けたことを特徴とする請求項１に記載の遊技機。
【請求項３】
前記有効位置を複数設定することが可能な有効位置設定手段を備え、前記特典導出手段は、前記入賞成立役種と対応する入賞成立の可能性がある有効位置が複数ある場合、これら有効位置において前記数値情報を順次導出するとともに先に導出した数値情報を更新することを特徴とする請求項２に記載の遊技機。
【請求項４】
前記役の抽選結果に基づいて前記特典記憶領域に記憶可能な限界値情報を設定する限界値情報設定手段を備え、前記特典記憶領域には、前記特典導出手段が前記数値情報の導出を終了した際の最終数値情報が前記特典記憶領域の初期値情報から前記限界値情報の範囲内にある場合、前記最終数値情報が記憶され、前記最終数値情報が前記範囲内にない場合、前記限界値情報が記憶される構成としたことを特徴とする請求項３に記載の遊技機。
【請求項５】
前記入賞成立役種は、入賞が成立した場合に遊技媒体を払い出す特典が付与される役種であって、前記特典導出手段は、前記数値情報として入賞成立時に払い出す遊技媒体数と対応した情報を導出することを特徴とする請求項２乃至請求項４のいずれかに記載の遊技機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
遊技球が飛翔する遊技球飛翔領域を備えた遊技機本体と、
遊技球を前記遊技球飛翔領域に飛翔させるべく操作される操作手段と、
前記操作手段が操作されたことに基づいて遊技球を前記遊技球飛翔領域に向けて発射させる遊技球発射手段と
を備えた遊技機において、
前記遊技球発射手段が遊技球を発射させる際の発射強度を調整すべく操作される発射強度調整手段と、
前記発射強度調整手段の調整結果を特定すべく操作される調整結果特定手段と
を備えたことを特徴とする遊技機。
【請求項２】
前記発射強度調整手段が操作された場合に基準位置からの変位を導出する変位導出手段と、前記変位導出手段の導出結果に基づいて前記遊技球発射手段が遊技球を発射させる際の発射強度を決定する発射強度決定手段とを備え、前記調整結果特定手段に、前記発射強度調整手段における変位を特定するための変位特定部を設けたことを特徴とする請求項１に記載の遊技機。
【請求項３】
前記発射強度調整手段が操作された場合に基準位置を決定する基準位置決定手段を備え、前記調整結果特定手段に、前記発射強度調整手段における基準位置を特定するための基準位置特定部を設けたことを特徴とする請求項２に記載の遊技機。
【請求項４】
前記発射強度調整手段を、前記発射強度を調整する際に所定方向に操作される構成とし、前記調整結果特定手段を、前記所定方向に可動可能な可動部材と、前記可動部材の可動を規制すべく操作される規制部材とを有する構成としたことを特徴とする請求項１乃至請求項３のいずれかに記載の遊技機。
【請求項５】
前記発射強度調整手段は、前記操作手段に設けられ、遊技者が接触したことを検知する接触検知手段を有し、前記接触検知手段が遊技者の接触を検知した場合、当該検知結果に基づいて遊技者が接触した接触位置を特定する接触位置特定手段と、前記接触位置特定手段の特定結果に基づいて基準位置を決定する基準位置決定手段と、前記基準位置と前記接触位置特定手段の特定結果とに基づいて、前記基準位置からの変位を導出する変位導出手段と、前記変位導出手段の導出結果に基づいて前記遊技球発射手段が遊技球を発射させる際の発射強度を決定する発射強度決定手段とを備えたことを特徴とする請求項１乃至請求項４のいずれかに記載の遊技機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
前記各周回体を周方向にそれぞれ区画した複数の区画領域と、各区画領域に付された絵柄との対応関係を記憶する対応関係記憶手段と、
前記停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止指令が発生してから対応する周回体が停止するまでの間に前記規定位置を通過させる区画領域数に関わる通過情報を前記区画領域毎に定めた通過情報群を記憶する通過情報群記憶手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止区画領域決定手段は、
前記停止指令が発生したことに基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定し、判定結果情報を導出する比較判定手段と、
前記通過情報群記憶手段に所定の通過情報群が記憶されているか否かを判定する判定手段と、
前記判定手段が前記所定の通過情報群が記憶されていると判定した場合、前記通過情報と前記到達区画領域とに基づいて判断用区画領域を導出する判断用区画領域導出手段と、
前記判定結果情報と対応する停止情報と、前記判断用区画領域の停止情報と、を比較判定し、当該判定結果が特定結果である場合には、前記判定結果情報に基づいて前記停止区画領域を導出し、前記判定結果が前記特定結果でない場合には、前記通過情報に基づいて前記停止区画領域を導出する停止区画領域導出手段と
を備えたことを特徴とする遊技機。
【請求項２】
前記判定手段が前記所定の通過情報群が記憶されていないと判定した場合、前記判定結果情報に基づいて停止区画領域を導出する停止区画領域第２導出手段を備えたことを特徴とする請求項１に記載の遊技機。
【請求項３】
前記停止情報導出手段は、前記停止区画領域を決定されている周回体がある場合、当該周回体の停止区画領域に基づいて前記停止情報を導出することを特徴とする請求項１又は請求項２に記載の遊技機。
【請求項４】
前記停止情報導出手段は、前記停止指令が発生する前までに、前記停止区画領域が決定されていない少なくとも１つの周回体について全区画領域の停止情報を区画領域毎に導出することを特徴とする請求項１乃至請求項３のいずれかに記載の遊技機。
【請求項５】
前記停止情報記憶手段を、前記各区画領域と１対１で対応する情報記憶手段を有する構成とし、前記情報記憶手段を１バイト以下で構成したことを特徴とする請求項４に記載の遊技機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
前記各周回体を周方向にそれぞれ区画した複数の区画領域と、各区画領域に付された絵柄との対応関係を記憶する対応関係記憶手段と、
前記停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止指令が発生してから対応する周回体が停止するまでの間に前記規定位置を通過させる区画領域数に関わる通過情報を前記区画領域毎に定めた通過情報群を記憶する通過情報群記憶手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止情報導出手段は、前記停止指令が発生する前までに、前記停止区画領域が決定されていない少なくとも１つの周回体について全区画領域の停止情報を区画領域毎に導出し、
前記停止区画領域決定手段は、
前記停止指令が発生したことに基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定し、判定結果情報を導出する比較判定手段と、
前記通過情報群記憶手段に所定の通過情報群が記憶されているか否かを判定する判定手段と、
前記判定手段が前記所定の通過情報群が記憶されていると判定した場合、前記通過情報と前記到達区画領域とに基づいて判断用区画領域を導出する判断用区画領域導出手段と、
前記判定結果情報と対応する停止情報と、前記判断用区画領域の停止情報と、を比較判定し、当該判定結果が特定結果である場合には、前記判定結果情報に基づいて前記停止区画領域を導出し、前記判定結果が前記特定結果でない場合には、前記通過情報に基づいて前記停止区画領域を導出する停止区画領域導出手段と
を備え、
前記停止情報記憶手段を、前記各区画領域と１対１で対応する情報記憶手段を有する構成とし、前記情報記憶手段を１バイト以下で構成したことを特徴とする遊技機。
【請求項２】
前記停止情報導出手段は、前記区画領域が前記規定位置に到達した場合に前記有効位置に到達する到達絵柄を区画領域毎に把握する到達絵柄把握手段と、当該到達絵柄把握手段の把握した到達絵柄と前記役の抽選結果に基づいて入賞成立の可能性を区画領域毎に判断する入賞可能性判断手段とを備え、前記情報記憶手段には、前記入賞可能性判断手段の判断結果を示す入賞可能性情報を記憶する入賞可能性記憶領域を設けたことを特徴とする請求項１に記載の遊技機。
【請求項３】
前記役の種別として、入賞が成立した場合に遊技者に有利な特別遊技状態に移行する特典が付与される特別役種と、入賞が成立した場合に再遊技の特典が付与される再遊技役種と、を有し、１の遊技回において前記再遊技役種にのみ当選となる機会と、１の遊技回において前記再遊技役種と前記特別役種に共に当選となる機会と、が生じる遊技機であって、前記情報記憶手段は、前記入賞可能性記憶領域として、前記特別役種に関する前記入賞可能性判断手段の判断結果を示す特別役種入賞可能性情報が記憶される特別役種情報記憶領域と、前記再遊技役種に関する前記入賞可能性判断手段の判断結果を示す再遊技役種入賞可能性情報が記憶される再遊技役種情報記憶領域と、を有し、前記再遊技役種情報記憶領域は、前記特別役種情報記憶領域を含むとともに当該特別役種情報記憶領域より大きいことを特徴とする請求項２に記載の遊技機。
【請求項４】
前記役の種別として、入賞が成立した場合に遊技者に有利な特別遊技状態に移行する特典が付与される特別役種と、役の抽選に当選した場合に前記停止操作手段の操作順序及び操作タイミングに関わらず入賞が成立する入賞成立役種と、を有し、１の遊技回において前記入賞成立役種にのみ当選となる機会と、１の遊技回において前記入賞成立役種と前記特別役種に共に当選となる機会と、が生じる遊技機であって、前記情報記憶手段には、前記入賞可能性記憶領域として、前記特別役種に関する前記入賞可能性判断手段の判断結果を示す特別役種入賞可能性情報が記憶される特別役種情報記憶領域と、前記入賞成立役種に関する前記入賞可能性判断手段の判断結果を示す入賞成立役種入賞可能性情報が記憶される入賞成立役種情報記憶領域と、を同一記憶領域に設けたことを特徴とする請求項２又は請求項３に記載の遊技機。
【請求項５】
前記停止情報導出手段は、前記停止区画領域決定手段の決定結果と、前記停止情報を導出している区画領域と、の組合せに基づいて、前記区画領域が前記規定位置に停止することを回避させるか否かの回避判断を実行する回避判断手段を備え、前記情報記憶手段には、前記回避判断手段の判断結果を示す回避判断情報を記憶する回避判断記憶領域を設けたことを特徴とする請求項１乃至請求項４のいずれかに記載の遊技機。
【請求項６】
前記回避判断手段は、第１停止指令が発生するとともに前記停止区画領域決定手段が前記停止区画領域を決定したことに基づいて、前記回避判断を実行することを特徴とする請求項５に記載の遊技機。
【請求項７】
前記回避判断手段は、前記各周回体のうち少なくとも２つの周回体に対して前記停止区画領域が決定されておらず、前記各周回体のうち少なくとも１つの周回体に対して前記停止区画領域が決定されていることに基づいて、前記回避判断を実行することを特徴とする請求項５又は請求項６に記載の遊技機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
遊技球が飛翔する遊技球飛翔領域を備えた遊技機本体と、
遊技球を前記遊技球飛翔領域に飛翔させるべく操作される操作手段と、
前記操作手段が操作されたことに基づいて遊技球を前記遊技球飛翔領域に向けて発射させる遊技球発射手段と
を備えた遊技機において、
前記操作手段に設けられ、遊技者が接触したことを検知する接触検知手段と、
前記接触検知手段が遊技者の接触を検知した場合、当該検知結果に基づいて遊技者が接触した接触位置を特定する接触位置特定手段と、
前記接触位置特定手段の特定結果に基づいて基準位置を決定する基準位置決定手段と、
前記基準位置と前記接触位置特定手段の特定結果とに基づいて、前記基準位置からの変位を導出する変位導出手段と、
前記変位導出手段の導出結果に基づいて前記遊技球発射手段が遊技球を発射させる際の発射強度を決定する発射強度決定手段と
を備えたことを特徴とする遊技機。
【請求項２】
前記操作手段は略半球状の操作部を備え、前記接触検知手段を前記操作部の外縁部全周に亘って設けたことを特徴とする請求項１に記載の遊技機。
【請求項３】
前記接触位置特定手段は、前記接触検知手段が接触を複数検知した場合、前記複数の検知から１の検知と対応する接触位置を特定することを特徴とする請求項１又は請求項２に記載の遊技機。
【請求項４】
前記基準位置決定手段が前記基準位置を決定した後に前記接触検知手段が遊技者の接触を検知しなかったことに基づいて、前記基準位置決定手段の決定結果を無効とする無効化手段を備えたことを特徴とする請求項１乃至請求項３のいずれかに記載の遊技機。
【請求項５】
前記発射強度決定手段を、前記変位導出手段の導出結果が前記基準位置から所定の向きに大きくなるほど前記発射強度が強くなるよう前記発射強度を決定する構成とし、前記接触位置特定手段の特定結果が前記基準位置から前記所定の向きと逆の向きに位置する場合、前記基準位置を前記接触位置特定手段の特定結果と対応する位置に変更する基準位置変更手段を備えたことを特徴とする請求項１乃至請求項４のいずれかに記載の遊技機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
遊技状態として、遊技者に有利な特別遊技状態と、前記特別遊技状態に移行しない又は移行し難い第１遊技状態と、前記第１遊技状態から前記特別遊技状態に移行する場合に経由し得る遊技状態であって前記特別遊技状態に移行するまでに要する遊技回数の期待値が異なる複数の中継遊技状態と、を備え、
前記停止操作手段に第１特定操作がなされたことに基づいて、前記有効位置に第１特定絵柄を停止させるべく前記循環表示手段を停止制御する第１停止制御手段と、
前記停止操作手段に第２特定操作がなされたことに基づいて、前記有効位置に第２特定絵柄を停止させるべく前記循環表示手段を停止制御する第２停止制御手段と、
前記有効位置に前記第１特定絵柄が停止した場合、前記特別遊技状態、又は前記第１特定絵柄が停止した遊技回の遊技状態と比して前記特別遊技状態に移行するまでに要する遊技回数の期待値が小さい中継遊技状態に移行させる有利移行手段と、
前記有効位置に前記第２特定絵柄が停止した場合、前記第１遊技状態、又は前記第１特定絵柄が停止した遊技回の遊技状態と比して前記特別遊技状態に移行するまでに要する遊技回数の期待値が大きい中継遊技状態に移行させる不利移行手段と、
前記各特定操作のうち少なくとも一方を示唆可能な示唆手段と、
前記各特定操作を示唆するか否かを決定する示唆決定手段と
を備え、
前記示唆決定手段を、所定条件が成立した場合、所定条件が成立する前と比して前記各特定操作のうち少なくとも一方を高い頻度で示唆すると決定する構成とし、前記各移行手段を、前記不利移行手段が遊技状態を移行させた場合、前記不利移行手段が遊技状態を移行させる前の遊技状態に復帰するためには前記有利移行手段が遊技状態を複数回移行させる必要がある構成としたことを特徴とする遊技機。
【請求項２】
前記不利移行手段は、前記有効位置に前記第２特定絵柄が停止した場合、前記第１特定絵柄が停止した遊技回の遊技状態に関わらず前記第１遊技状態に移行させることを特徴とする請求項１に記載の遊技機。
【請求項３】
前記有利移行手段は、前記有効位置に前記第１特定絵柄が停止した遊技回の遊技状態が前記各中継遊技状態のいずれかであって、前記特別遊技状態に移行するまでに要する遊技回数の期待値が小さな中継遊技状態が他にある場合、前記期待値が小さな中継遊技状態のうち前記期待値が最も大きな中継遊技状態に移行させ、前記特別遊技状態に移行するまでに要する遊技回数の期待値が小さな中継遊技状態が他にない場合、前記特別遊技状態に移行させることを特徴とする請求項１又は請求項２に記載の遊技機。
【請求項４】
前記停止操作手段に第３特定操作がなされたことに基づいて、前記有効位置に第３特定絵柄を停止させるべく前記循環表示手段を制御する第３停止制御手段と、前記有効位置に前記第３特定絵柄が停止した場合、前記第３特定絵柄が停止した遊技回の遊技状態に関わらず、前記各中継遊技状態のうち前記特別遊技状態に移行するまでに要する遊技回数の期待値が最も大きな中継遊技状態に移行させる中継遊技状態移行手段と、を備えたことを特徴とする請求項１乃至請求項３のいずれかに記載の遊技機。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
遊技状態として、遊技者に有利な特別遊技状態と、前記特別遊技状態に移行しない又は移行し難い第１遊技状態と、前記第１遊技状態から前記特別遊技状態に移行する場合に経由し得る遊技状態であって前記特別遊技状態に移行するまでに要する遊技回数の期待値が異なる複数の中継遊技状態と、を備え、
前記停止操作手段に第１特定操作がなされたことに基づいて、前記有効位置に第１特定絵柄を停止させるべく前記循環表示手段を停止制御する第１停止制御手段と、
前記停止操作手段に第２特定操作がなされたことに基づいて、前記有効位置に第２特定絵柄を停止させるべく前記循環表示手段を停止制御する第２停止制御手段と、
前記有効位置に前記第１特定絵柄が停止した場合、前記特別遊技状態、又は前記第１特定絵柄が停止した遊技回の遊技状態と比して前記特別遊技状態に移行するまでに要する遊技回数の期待値が小さい中継遊技状態に移行させる有利移行手段と、
前記有効位置に前記第２特定絵柄が停止した場合、前記第１遊技状態、又は前記第１特定絵柄が停止した遊技回の遊技状態と比して前記特別遊技状態に移行するまでに要する遊技回数の期待値が大きい中継遊技状態に移行させる不利移行手段と、
前記各特定操作のうち少なくとも一方を示唆可能な示唆手段と、
前記各特定操作を示唆するか否かを決定する示唆決定手段と
を備え、
前記示唆決定手段を、所定条件が成立した場合、所定条件が成立する前と比して前記各特定操作のうち少なくとも一方を高い頻度で示唆すると決定する構成とするとともに、遊技状態が前記各中継遊技状態のいずれかであって少なくとも前記所定条件が成立していない場合、前記第１特定絵柄が前記有効位置に停止する機会を前記第２特定絵柄が前記有効位置に停止する機会より少なくなる構成としたことを特徴とする遊技機。
【請求項２】
前記停止操作手段に第３特定操作がなされたことに基づいて、前記有効位置に第３特定絵柄を停止させるべく前記循環表示手段を制御する第３停止制御手段と、前記有効位置に前記第３特定絵柄が停止した場合、前記第３特定絵柄が停止した遊技回の遊技状態に関わらず、前記各中継遊技状態のうち前記特別遊技状態に移行するまでに要する遊技回数の期待値が最も大きな中継遊技状態に移行させる中継遊技状態移行手段と、を備えたことを特徴とする請求項１に記載の遊技機。
【請求項３】
前記第３停止制御手段は、前記役の抽選結果が所定結果であって前記停止操作手段に前記第３特定操作がなされた場合、前記有効位置に前記第３特定絵柄を停止させるべく前記循環表示手段を停止制御するものであって、前記役の抽選結果が前記所定結果である場合には、前記停止操作手段の操作に関わらず前記有効位置に前記第１特定絵柄が停止しない構成とし、遊技状態が前記各中継遊技状態のいずれかであって少なくとも前記所定条件が成立していない場合には、前記第１特定絵柄が前記有効位置に停止する機会を前記第３特定絵柄が前記有効位置に停止する機会より少なくなる構成としたことを特徴とする請求項２に記載の遊技機。